(57)【要約】      （修正有）【課題】マクロセルとフェムトセルから構成される基地局の区分を容易にする技術を提供する。【解決手段】マイクロ波無線通信装置は、１及び第２のセルにそれぞれ対応する少なくとも第１及び第２の基地局の中から選択された１の基地局と通信を行うよう構成される。第１のセルは、第２のセルに比べて広範囲のカバレッジエリアを持つ。前記装置は、各基地局から送信されるBSIDからデータを取得し、相対的なセルカバレッジを示す第１の基地局からの信号と第２の基地局からの信号を区別するよう構成されている。これにより、前記装置は、区別に応じて、第１及び第２の基地局のうちの１つに対して選択的な登録を行うことができる。【選択図】図１
2014161044.tif 000002
【特許請求の範囲】
【請求項１】
第１及び第２のセルにそれぞれ対応する少なくとも第１及び第２の基地局の中から選択された１の基地局と通信を行うマイクロ波無線通信装置であって、
前記第１のセルは、前記第２のセルに比べて広範囲のカバレッジエリアを持ち、
前記装置は、
各基地局から送信されるBSIDからデータを取得する取得手段と、
前記データに基づいて、相対的なセルカバレッジを示す前記第１の基地局からの信号と前記第２の基地局からの信号を区別する区別手段と、
前記区別に応じて、前記第１及び第２の基地局のうちの１つに対して選択的な登録を達成する処理手段と、
を備える。
【請求項２】
前記第１及び第２のセルは、少なくともマクロセル及び局所セルを備え、
前記区別は、前記局所セルへの優先的な登録を可能にさせる、
請求項１に記載の装置。
【請求項３】
前記局所セルは、フェムトセルを備える、請求項２に記載の装置。
【請求項４】
前記装置が登録を達成することができる前記第２のセルのリストを保持する格納手段をさらに備える、請求項１、２、又は３に記載の装置。
【請求項５】
前記リストは、閉鎖的な利用可能性を持つセルを備える、請求項４に記載の装置。
【請求項６】
前記リストの内容を前記区別よって特定されたセルと比較する比較手段をさらに備える、請求項４又は５に記載の装置。
【請求項７】
セルへの登録成功に応じてセル識別子を前記リストに追加する手段をさらに備える、請求項４、５、又は６に記載の装置。
【請求項８】
セルへの登録の失敗が判明した場合に、登録に失敗したセルのエントリを前記リストから除去する手段をさらに備える、請求項４〜７のいずれか１項に記載の装置。
【請求項９】
前記取得手段は、前記BSIDの基地局識別部分から前記データを受信するよう構成されている、請求項１〜８のいずれか１項に記載の装置。
【請求項１０】
前記データは、前記BSIDの送信元セルの身元を示すために前記BSID内に配置された１ビットを含む、請求項９に記載の装置。
【請求項１１】
運用モード識別子を含むデータを前記BSIDから取得するように構成されている、請求項１〜１０のいずれか１項に記載の装置。
【請求項１２】
前記運用モード識別子は、前記BSIDの基地局識別部分の中に設けられている、請求項１１に記載の装置。
【請求項１３】
前記運用モード識別子は、前記基地局識別部分の１ビットを備える、請求項１２に記載の装置。
【請求項１４】
マイクロ波無線通信装置と通信するために第１のセルを形成するマイクロ波無線通信基地局装置であって、
前記基地局装置を相対的に狭いカバレッジエリアを持つ第２のセルを提供する他の基地局装置から区別する役割を果たすBSIDを含むシグナリングを送信し、前記マイクロ波無線通信装置において、相対的なセルカバレッジに基づく基地局装置の選択を容易にするよう構成されている。
【請求項１５】
前記第１及び第２のセルは、少なくともマクロセル及び局所セルを備え、
前記区別は、前記局所セルへの優先的な登録を可能にさせる、
請求項１４に記載の基地局装置。
【請求項１６】
前記局所セルは、フェムトセルを備える、請求項１５に記載の基地局装置。
【請求項１７】
前記BSIDの基地局識別部分内に前記BSIDの送信元セルの身元を示すデータを含めるよう構成されている、請求項１４〜１６のいずれか１項に記載の基地局装置。
【請求項１８】
前記BSID内の１ビットが前記BSIDの送信元セルの身元を示すために用いられる、請求項１７に記載の基地局装置。
【請求項１９】
運用モード識別子を含むデータを前記BSID内に含めるよう構成されている、請求項１４〜１８のいずれか１項に記載の基地局装置。
【請求項２０】
前記運用モード識別子は、前記BSIDの基地局識別部分の中に設けられている、請求項１９に記載の基地局装置。
【請求項２１】
前記運用モード識別子は、前記基地局識別部分の１ビットを備える、請求項２０に記載の基地局装置。
【請求項２２】
請求項１〜１３のいずれか１項に記載の通信装置と、請求項１４〜２１のいずれか１項に記載の基地局装置とを備える、マイクロ波無線通信システム。
【請求項２３】
それぞれ第１及び第２のセルに対応する少なくとも第１及び第２の基地局のうちの１つとマイクロ波無線通信装置との間の選択されたコネクションの制御方法であって、
前記第２のセルは前記第１のセルに比べて狭いカバレッジエリアを持ち、
前記装置において、基地局より送られるBSIDからデータを取得する取得ステップと、
前記区別ステップに応じた前記基地局のうち１つとの選択されたコネクションのために、相対的なセルカバレッジを示す前記第１の基地局からの信号と前記第２の基地局からの信号を区別する区別ステップと、
を備える。
【請求項２４】
前記第１及び第２のセルは、少なくともマクロセル及び局所セルを備え、
前記区別は、前記局所セルへの優先的な登録を可能にさせる、
請求項２３に記載の方法。
【請求項２５】
前記局所セルは、フェムトセルを備える、請求項２４に記載の方法。
【請求項２６】
前記装置が登録を達成することができる局所セルのリストをメモリ内に保持するステップをさらに備える、請求項２３、２４、又は２５に記載の方法。
【請求項２７】
前記リストは、閉鎖的な利用可能性を持つセルを備える、請求項２６に記載の方法。
【請求項２８】
前記リストの内容を前記区別よって特定されたセルと比較するステップをさらに備える、請求項２６又は２７に記載の方法。
【請求項２９】
セルへの登録成功に応じてセル識別子を前記リストに追加するステップをさらに備える、請求項２６、２７、又は２８に記載の方法。
【請求項３０】
セルへの登録が失敗した場合に、登録に失敗したセルのエントリを前記リストから除去するステップをさらに備える、請求項２６〜２９のいずれか１項に記載の方法。
【請求項３１】
オペレータ識別部分および基地局識別部分を備える基地局識別マイクロ波信号であって、
前記基地局識別部分は、前記信号の送信元である基地局を特定する役割を果たすとともに、前記信号を受信可能に構成されたマイクロ波通信装置において、基地局群及びこれに付随するセル群の間の、前記セル群の相対的なカバレッジエリアに基づく区別を可能とするデータを備える。
【請求項３２】
前記付随するセル群は、少なくともマクロセル及び局所セルを備え、
前記区別は、前記局所セルへの優先的な登録を可能にさせる、
請求項３１に記載の信号。
【請求項３３】
前記局所セルは、フェムトセルを備える、請求項３２に記載の信号。
【請求項３４】
前記データは、前記信号の送信元セルの身元を示すために前記基地局識別部分内に配置された１ビットを含む、請求項３１、３２、又は３３に記載の信号。
【請求項３５】
運用モード識別子をさらに備える、請求項３１〜３４のいずれか１項に記載の信号。
【請求項３６】
前記運用モード識別子は、前記基地局識別部分の中に設けられている、請求項３５に記載の信号。
【請求項３７】
前記運用モード識別子は、前記基地局識別部分の１ビットを備える、請求項３６に記載の信号。
【請求項３８】
コンピュータプログラム命令群を備えるコンピュータプログラムであって、
前記命令群は、プロセッシングデバイス内にロードされた場合に、請求項２３〜３０のいずれか１項に記載の方法を提供するよう構成されている。
【発明の詳細な説明】
【技術分野】
【０００１】
本発明は、マイクロ波無線通信装置、並びにこれに関する運用方法およびネットワーク配置に関する。
【背景技術】
【０００２】
例えばWiMAX顧客宅内装置（Customer Premises Equipment：CPE）、WiMAX加入者端末（Subscriber Stations：SS）、及びWiMAX移動端末（Mobile Stations：MS）といったマイクロ波無線通信装置が良く知られている。これらの装置は、WiMAX基地局と通信し、WiFiシステムよりも長距離の無線マイクロ波接続を提供する。
【０００３】
WiMAXシステムは比較的広い地理的カバレッジを持つWiMAXセル群を伴うWiMAX基地局群を利用するが、大きなプライマリWiMAXセル群と小さな一般的にはより局所的なセカンダリWiMAXセル群とのオーバラップの要求、場合によっては完全なオーバラップの要求がしばしば発生する。すなわち、より局所的なフェムトセル群は、マクロセルのカバレッジエリア内に必要とされ得るし、マクロセル及びこれに対応するマクロ基地局を負荷の低減により支援するために利用され得る。
【発明の概要】
【発明が解決しようとする課題】
【０００４】
しかしながら、公知の構成では、どの基地局が登録のために利用できるかを特定するために、WiMAX CPE又はWiMAX MS等のユーザ装置がマクロセル基地局からの受信信号とフェムトセル基地局からの受信信号を区別する方法は、不都合なほどに限られている。
【０００５】
本発明の１つの典型的な目的は、これらの公知の装置、方法、及びネットワーク配置に対して優位性を有するマイクロ波無線通信装置、並びにこれに関する運用方法およびネットワーク配置を提供することである。
【課題を解決するための手段】
【０００６】
本発明の一態様によれば、第１及び第２のセルにそれぞれ対応する少なくとも第１及び第２の基地局の中から選択された１の基地局と通信を行うマイクロ波無線通信装置が提供される。ここで、前記第１のセルは、前記第２のセルに比べて広範囲のカバレッジエリアを持つ。前記装置は、各基地局から送信されるBSIDからデータを取得し、相対的なセルカバレッジを示す前記第１の基地局からの信号と前記第２の基地局からの信号を区別するよう構成されている。これにより、前記装置は、前記区別に応じて、前記第１及び第２の基地局のうちの１つに対して選択的な登録を行うことができる。
【０００７】
本発明の他の態様によれば、マイクロ波無線通信装置と通信するために第１のセルを形成するマイクロ波無線通信基地局装置が提供される。前記基地局装置は、前記基地局装置を相対的に狭いカバレッジエリアを持つ第２のセルを提供する他の基地局装置から区別する役割を果たすBSIDを含むシグナリングを送信し、前記マイクロ波無線通信装置において、相対的なセルカバレッジに基づく基地局装置の選択を容易にするよう構成されている。
【０００８】
本発明のさらに他の態様によれば、それぞれ第１及び第２のセルに対応する少なくとも第１及び第２の基地局のうち１つとマイクロ波無線通信装置との間の選択されたコネクションの制御方法が提供される。ここで、前記第２のセルは前記第１のセルに比べて狭いカバレッジエリアを持つ。前記方法は、基地局より送られるBSIDからデータを前記装置において取得するステップと、前記区別ステップに応じた前記基地局のうちの１つとの選択されたコネクションのために、相対的なセルカバレッジを示す前記第１の基地局からの信号と前記第２の基地局からの信号を区別するステップとを含む。
【０００９】
本発明の更なる態様は、オペレータ識別部分と基地局識別部分を備える基地局識別マイクロ波信号である。前記基地局識別部分は、前記信号の送信元である前記基地局を特定する役割を果たし、前記信号を受信可能に構成されたマイクロ波通信装置において、前記基地局群及びこれに付随するセル群の間の、前記セル群の相対的なカバレッジエリアに基づく区別を可能とする。
【発明の効果】
【００１０】
以上から分かるように、異なるセル間を区別するための識別子を提供するようなBSIDのアダプテーションは、セル群のうちの少なくとも1つに対する優先的な登録を提供する場合に顕著な優位性をもたらすことができる。このような優先的な登録は、マクロ／フェムトセル環境に対して有利に適用できる。
【図面の簡単な説明】
【００１１】
【図１】図１は、本発明を利用するWiMAXシステム構成を示す平面図である。
【図２】図２は、本発明の一実施形態に関し、モバイルハンドセットとして形成されたWiMAXユーザ装置を示すブロック図である。
【図３】図３は、本発明の他の実施形態に関するWiMAX基地局のブロック図である。
【図４】基地局から送られ、本発明の更に他の実施の形態を例示する報知シグナリングを示す図である。
【図５】図５は、本発明の一実施例に関するフロー図である。
【図６】図６は、本発明の一実施例に関するフロー図である。
【発明を実施するための形態】
【００１２】
＜第１の実施形態＞
最初に図１を参照すると、WiMAXマクロセルのWiMAXマクロ基地局１４及びWiMAXフェムトセルのWiMAXフェムト基地局１６のいずれかに登録するよう構成され、WiMAX CPEとして形成されたWiMAXユーザ装置１２を含むワイヤレス通信システム１０の平面図が示されている。既に述べたように、フェムトセルは、より局所化された地理的なカバレッジをもたらし、WiMAXマクロ基地局１４の負荷を低減するために配置され得る。
【００１３】
従来通りのダウンリンク（DL）-MAPシグナリング１８、２０は、WiMAXユーザ装置１２と基地局１６の間、およびWiMAXユーザ装置１２と基地局１４の間でそれぞれ発生する。DL-MAPシグナリング１８、２０は、以下でより詳細に議論される。
【００１４】
図２を参照すると、図１のWiMAXユーザ装置１２の更なる詳細を示すブロック図が示されている。
【００１５】
ユーザ装置１２は、トランシーバ機能部２２と共に、一般的なプロセッシング機能部２４及びメモリ機能部２６を含む。後述することから理解されるように、当該装置は、さらに、基地局１４、１６からのデータを復元する機能部２８を含む。機能部２８は、前記シグナリングの送信元を区別することで当該ハンドセットが利用可能な関連するWiMAXセルを特定できるようにする役割を果たす。
【００１６】
図３は、図１に示したWiMAXマクロ基地局１４のブロック図を表わしているが、同様にWiMAXフェムト基地局１６を図示している。WiMAXマクロ基地局１４は、一般的なトランシーバ機能部３０、プロセッシング機能部３２、及びメモリ機能部３４を有する。さらに、WiMAXマクロ基地局１４からWiMAXユーザ装置１２に送信される前記シグナリング内に基地局識別子を組み込むために、識別子機能部３６が含まれている。
【００１７】
図２及び３に示した装置１２及び１４が有する機能部２８、３６の更なる特徴は、以下の説明によって容易に理解されるであろう。
【００１８】
前述したように、基地局１４の識別子機能部３６は、WiMAXユーザ装置１２に対して送信されるシグナリング内に基地局識別子を組み込むように構成され、取得機能部２８によって容易に特定され、基地局１４から発生したシグナリングと基地局１６から発生したシグナリングをとりわけ効果的に区別できるようにする。
【００１９】
理解されるように、ユーザが始めにWiMAXユーザ装置１２をスイッチオンすると、当該装置は、基地局から送信されるDLサブフレームのプリアンブルを検出するために、運用中の周波数バンド内のDLチャネルをスキャンする。プリアンブルが検出された場合、ユーザ装置１２は、DLシグナリング内の基地局識別情報（BSID）を含むDL-MAPの獲得を試みる。BSIDは、基地局識別子と、実際のネットワークオペレータの身元を示すオペレータ識別子を備える。
【００２０】
第１の実施形態、および第１の実施形態の効果的な運用による有利な特徴は、異なるWiMAXセル群（特に例示されるこの実施形態ではマクロセル及びフェムトセルを含むWiMAXセル群）からの信号をユーザ装置が容易に区別できるようにするためにBSIDを利用する点にある。
【００２１】
このような有利な識別を行うためにBSIDを取り扱う方法の一例は図４に示されている。
【００２２】
理解されるように、図４に示すように、BSID３８は、通常４８ビット長の固有グローバル識別子（unique global identifier）を備える。固有グローバル識別子の上位２４ビットは、先頭の最上位ビット４２及び２４番目のビット４４を有するネットワークアクセスプロバイダ識別子（Network Access Provider Identifier（NAP ID））を含む。
【００２３】
BSID３８の主要な２４ビットは、基地局の識別を形作る。先頭ビット４８は、NSP識別子フラグ（Network Service Provider (NSP) identifier flag）である。図示されたこの実施形態では、基地局識別子（BS identifier）４６の先頭ビット４８の後ろに、フェムトセル識別子ビット５２及びフェムトセル運用モードビット５４が続いている。理解されるように、図示されているように、基地局識別子４６は、最下位ビット５０によって終端される２１ビットを更に有する。
【００２４】
以上に述べたように、BSID３８は、DL-MAPメッセージの一部としてWiMAX基地局からブロードキャストされ、図４に示した通り、このメッセージは、ユーザ装置１２によって受信されたBSID３８が図１のマクロセル基地局１４及びフェムトセル基地局１６の何れに結びついたものであるかを容易に識別可能な表示を提供することに適するように変更されている。
【００２５】
一例として、もしフェムトセル識別子ビット５２が“０”である場合に当該BSID３８をマクロセルのものとし、セル識別子ビット５２が“１”である場合に当該BSID３８をフェムトセルのものとする規則を適用できる。
【００２６】
さらに、フェムトセルのクローズドモード及びオープンモードのように、様々な運用モードが利用可能であるかもしれない。クローズドモードは、フェムトセルに対する制限されたアクセスを提供する。関係のある運用モードは、図４に示した運用モードビット５４によって示される。
【００２７】
例えば、オープンモード表わすために運用モードビット５４に“０”を適用し、クローズドモードを表わすために運用モードビット５４に“１”を適用する規則を適用できる。
【００２８】
もちろん、もし、BSIDの送信元がマクロセルであることをセル識別ビットが既に示している場合、運用モードビットは未使用とし、“０”にセットされてもよい。
【００２９】
従って、図１に戻ると、既に明らかであるように、WiMAXマクロ基地局１４から届けられるDL-MAPシグナリングは、 “０”にセットされたセル識別ビット、及び未使用であってデフォルト値“０”にセットされた運用モードビットを含むBSIDを有する。WiMAXマクロ基地局１６から届けられるDL-MAPシグナリングは、“１”にセットされたセル識別ビット、及びWiMAXマクロ基地局１６の具体的な運用モード（オープンモード又はクローズドモード）に依存して“０”又は“１”にセットされた運用モードビットを含むBSIDを有する。
【００３０】
以上に述べたように、図１〜４を参照して説明した本実施形態は、基地局６から届けられるDL-MAPメッセージにBSIDが含まれ、フェムトセルの運用モードをBISDから容易に導き出すことを可能にする。
【００３１】
本実施形態は、局所的な地域内におけるフェムトセルの存在の素早く効率的な識別を可能にするから、フェムトセルが利用可能である場合にユーザがフェムトセルへのキャンプオンを容易に選択できるように、同じく利用可能なマクロセルからフェムトセルを容易に区別することを可能にする。
【００３２】
このような素早いフェムトセルの識別は、さらにその他の事項としては、マクロセルの負荷を低減するための容易で正確なフェムトセルの選択をもたらす。したがって、ユーザ装置の最初のスイッチオン時、又はハンドオーバ／セル再選択手続きの中で、フェムトセルに対して容易に第１の優先度を与えることができる。
【００３３】
さらに、特定のセルの運用モードの素早い識別の提供は、特定のユーザ装置に対して閉鎖されているフェムトセルに登録を試みることを防止することによって、電力要件の緩和、電力消耗の低減をもたらすことができる。セルがオープンモード運用であるかクローズドモード運用であるかの素早い識別は、本発明の様々な実施形態から引き起こされる有利で効率的な運用をさらに良いものにする。
【００３４】
図２を参照して一例を示すと、ユーザ装置１２のメモリ機能部２６は、当該ハンドセットが登録を行うことが可能なセル群、特に他のデバイスによるアクセスに対してクローズされているかもしれないセル群、のリストを格納するように利用できる。
【００３５】
具体的に述べると、クローズドモードで運用されているフェムトセルを介してデバイス装置がWiMAXネットワークに登録した場合、当該ユーザ装置は、“格納されたクローズドモード・フェムトセルリスト”を作成するべく、当該フェムトセルのBSIDをメモリ機能部２６に格納する。“格納されたクローズドモード・フェムトセルリスト”は、その後に、特に再選択／ハンドオーバ手続きの間に利用され、前述の“格納されたセルリスト”に含まれる識別情報に一致する識別情報を持ついずれかのWiMAXセルへの優先的な登録手続きを行うことができる。このことは、隣接するセルからのBSIDに対応する他の周波数に対する不必要なスキャンを有効に削減できる。
【００３６】
もちろん、以下に述べる事項から明らかにされる通り、格納されたリストは、後の成功した登録に応じてさらなるBSIDを補充することで、動的に手入れされる。あるいは、格納されたリストは、リストに関連する基地局への登録の失敗に応じて、BSIDを削除することによって更新されることができる。
【００３７】
次に図５を参照すると、図１に示したようなユーザ装置１２のパワーオンシーケンス中に行われる、潜在的なフェムトセルの検出に関する動作を示すフロー図が示されている。
【００３８】
ステップ５６でパワーオンされた後に、WiMAXユーザ装置１２は、最も適したセルへのキャンプオンを達成するために、運用帯域内において下り周波数をスキャンする（ステップ５８）。ステップ６０にてDL-MAP及びこれに含まれるBSIDを読んだ後に、ステップ６２では、当該BSIDが許可されたオペレータのものであるかを判定する。そのケースであるとみなされたことに応じて、当該手順はステップ６４に進み、ここではユーザ装置１２に格納された“クローズドなフェムトセルのリスト”内に当該BSIDが存在するか否かを判定する。仮に、ステップ６４において、当該BSIDが格納されたリスト内に存在しないと判定された場合、ステップ６６にて、当該BSIDがフェムトセルのものであるかを判定する。もしフェムトセルが特定された場合、当該手順はステップ６８に進み、ここでは当該セルの具体的な運用モードの判定が行われる。仮に、ステップ６８において、運用モードが“オープン”であると特定された場合、フェムトセルへのキャンプオン手続きがステップ７０にて始まり、ステップ７２における登録に成功したか否かの判定に続く。登録に成功した場合、“Ｘ”で示されるように、登録後のシグナリング手続きがユーザ装置と関連する次の装置との間で引き続き行われる。
【００３９】
仮に、ステップ６６において、当該BSIDがフェムトセルのものでないと判定された場合、当該セルはマクロセルであると特定されるから、ユーザ装置１２はこのマクロセルへのキャンプオンをステップ６７にて試行し、上述したステップ７２にて登録に成功したかを判定する。ステップ６４にて当該BSIDが“クローズドモード・フェムトセルリスト”内に存在することが特定された場合、又はステップ６８にて運用モードが“クローズド”であると判定された場合、当該手順はステップ７６に進み、ここでは、当該フェムトセルへのキャンプオン手続きが開始される。もし、このフェムトセルへのキャンプオンが成功したことが確認された場合、ステップ７８では当該登録が成功したと判定され、もし未登録である場合には、ステップ８０にて当該BSIDが“クローズドモード・フェムトセルリスト”に追加される。
【００４０】
ステップ７８にて当該登録が成功しなかったと判定されると、当該BSIDが“クローズドモード・フェムトセルリスト”に既に登録済みであった場合には、ステップ８２において当該BSIDはリストから削除されることができる。
【００４１】
もちろん、ステップ７２及び７８のどちらかにてフェムト登録が成功しなかった場合、“Ａ”で示されているように、当該手続は当初の周波数スキャンステージに戻る。
【００４２】
続いて図６を参照すると、セル再選択又はハンドオーバ手順に関するフロー図が示されている。
【００４３】
図６に示されるように、始めに、WiMAXユーザ装置１２は、８４においてマクロセル１４にキャンプオンする。８６にてセル再選択又はハンドオーバがトリガーされると、隣接セルのBSIDのリストが８８にてユーザ装置１２に供給される。本発明の当該態様によると、９０にて隣接セルのBSIDが“クローズドモード・フェムトセルリスト”内に存在する場合に、装置１２はこのフェムトセルにキャンプオンを行う。そうでない場合には、装置１２は、９２において、他のフェムトセルBSIDに優先権を与える。９４でのフェムトセルへのキャンプオンの後に、９８においてWiMAXユーザ装置１２は、（もし未だ存在していなければ）当該BSIDを“クローズドモード・フェムトセルリスト”に格納してもよい。しかしながら、もしWiMAXユーザ装置１２がフェムトセルへのキャンプオンを行うことができず登録に成功しなかった場合には、１００において、WiMAXユーザ装置１２は当該BSIDのエントリを“クローズドモード・フェムトセルリスト”から削除する。それが存在すると仮定した場合。続いて、WiMAXユーザ装置１２は、１０２において、隣接セルリストから見出される他のセルへのキャンプオンを試みるが、第１の優先順位はフェムトセルに与えることができる。
【００４４】
理解されるように、本発明の第１の実施形態は、BSIDの構造内に含まれる１ビットの識別子を用いることによって、フェムトセルの特定に関して非常に効率的なメカニズムを提供できる。また、同じBSIDに含まれる１ビットの識別子を、例えば、当該フェムトセルの運用モードを示すために利用することができる。
【００４５】
本発明は、WiMAX環境における具体的な用途、WiMAX CPE、WiMAX MS、並びにWiMAX ユーザ装置及び基地局装置との具体的な関係性を見出せる。したがって、マクロセルの負荷低減を効率よく実現するためのフェムトセルへの優先的なキャンプオンを容易に達成することができる。
【００４６】
＜その他の実施形態＞
他の実施形態では、マイクロ波無線通信装置は、当該装置が登録を達成することができる局所セルのリストを保持する格納手段を含む。
【００４７】
前記装置は、さらに、前記リストの内容を前述した区別よって特定されたセルと比較する比較手段を含むことができる。
【００４８】
前記リストの動的な制御のため、前記装置は、セルへの登録成功に応じてセル識別子を前記メモリに追加する手段を含むことができる。
【００４９】
さらに、前記デバイスは、登録の失敗が判明した場合に前記セル身元を前記メモリから除去する手段を含むことができる。
【００５０】
具体的に述べると、前記デバイスは、前記BSIDの基地局識別部分から前記データを受信するように構成されることができる。
【００５１】
好ましくは、前記セルの前記身元を示すために前記BSID内の１ビットが使用される。
【００５２】
さらにまた、前記デバイスは、運用モード識別子を含むデータを前記BSIDから取得するように構成されることができる。運用モード識別子は、前記BSIDの基地局識別部分の中に設けることができる。また、前記データは、前記BSID内の１ビットの前記基地局部を含む。
【００５３】
さらに他の実施形態では、方法は、前記デバイスが登録を達成することができる局所セルに関するリストの格納を許可するステップを含む。具体的には、セルリストは、限られた有効性を持つ。
【００５４】
前記方法は、さらに、前記リストの内容を前述した区別するステップよって特定されたセルと比較するステップを含むことができる。
【００５５】
好ましくは、前記方法は、セルへの登録成功に応じてセル識別子を前記メモリに追加するステップ、及び／又は、登録の失敗が判明した場合における前記セル身元の前記メモリからの除去、を含むことができる。
【００５６】
また、前記方法は、前記データを搬送するために、前記BSIDの基地局識別部分を利用し、具体的には、前記BSID内の１ビットをセルの前記身元を示すために利用できる。
【００５７】
さらに、前記BSIDは、前記BSIDの前記基地局識別部分、好ましくはそのうち１ビット、に配置される運用モード識別子の提供のために利用できる。
【００５８】
当然のことながら、前述した様々装置が有する機能部は、具体的な用件に依存して、ハードウェア又はソフトウェアソリューションの一部として提供され得る。
【００５９】
本発明は、その実施形態を参照して具体的に説明されたが、本発明は、これらの実施形態に限定されるものではない。当業者によって理解されるように、クレームに依って規定されている本発明の精神及び範囲を逸脱しない範囲において、これらの実施の形態の形状及び詳細に関して様々な変形が行われてもよい。
【００６０】
＜参照による取り込み＞
この出願は、２００８年６月２日に出願された英国特許出願No.0810004.2の優先権を主張し、参照によってその開示の全てをここに取り込む。
【符号の説明】
【００６１】
１０  ワイヤレス通信システム
１２  WiMAXユーザ装置
１４  WiMAXマクロ基地局
１６  WiMAXフェムト基地局
１８  DL-MAPシグナリング
２０  DL-MAPシグナリング
２２  トランシーバ機能部
２４  プロセッシング機能部
２６  メモリ機能部
２８  基地局からのデータを復元する機能部
３０  トランシーバ機能部
３２  プロセッシング機能部
３４  メモリ機能部
３６  識別子機能部
３８  BSID
４０  NAP ID
４２  最上位ビット
４４  ２４番目のビット
４６  基地局識別子
４８  NSP識別子フラグ
５０  最下位ビット
５２  フェムトセル識別子ビット
５４  フェムトセル運用モードビット
【図１】
2014161044.tif 000003
【図２】
2014161044.tif 000004
【図３】
2014161044.tif 000005
【図４】
2014161044.tif 000006
【図５】
2014161044.tif 000007
【図６】
2014161044.tif 000008